(57)【要約】【課題】第一反転部及び第二反転部が所定のレイアウトで配設されている紙葉類処理装置において、紙葉類の表裏及び／又は天地を揃えることを可能にする。【解決手段】紙葉類処理装置（バラ紙幣処理ユニット１００）は、紙葉類を収納する収納部１１２と、収納部に接続された第一搬送路１１６に配設されかつ、収納部に向かって搬送される紙葉類を選択的に反転させる第一反転部１１０と、収納部に接続された第二搬送路１１７に配設されかつ、収納部から繰り出された紙葉類を選択的に反転させる第二反転部１１１と、第二搬送路に接続されかつ、帯封対象の紙葉類を集積する集積部１１４と、を備える。整理処理を実行するときに、投入部（入金部１０３）に投入された帯封対象の紙葉類を、第一反転部、収納部、及び、第二反転部の順に通過させることにより、紙葉類の表裏及び天地の両方を揃えて集積部に集積する。【選択図】図３
2019191967.tif 000002
【特許請求の範囲】
【請求項１】
紙葉類を収納する収納部と、
前記収納部に接続された第一搬送路に配設されかつ、前記収納部に向かって搬送される前記紙葉類を選択的に反転させる第一反転部と、
前記収納部に接続された第二搬送路に配設されかつ、前記収納部から繰り出された前記紙葉類を選択的に反転させる第二反転部と、
前記第二搬送路に接続されかつ、帯封対象の紙葉類を集積する集積部と、を備え、
整理処理を実行するときに、投入部に投入された前記帯封対象の紙葉類を、前記第一反転部、前記収納部、及び、前記第二反転部の順に通過させることにより、前記紙葉類の表裏及び天地の両方を揃えて前記集積部に集積する紙葉類処理装置。
【請求項２】
前記整理処理を実行する前に、前記収納部に収納されている紙葉類を全て繰り出して、当該収納部を空にする請求項１に記載の紙葉類処理装置。
【請求項３】
前記第一搬送路における前記第一反転部よりも下流の箇所と、前記第二搬送路における前記第二反転部と前記集積部との間の箇所とを接続することにより、前記収納部及び前記第二反転部をバイパスするバイパス路を備え、
前記帯封対象の紙葉類を、前記第一反転部を通過させることにより、前記紙葉類の表裏及び天地の少なくとも一方を揃えた後、前記バイパス路を介して前記集積部に集積する第二の整理処理を実行する請求項１又は２に記載の紙葉類処理装置。
【請求項４】
前記第二搬送路における前記収納部と前記第二反転部との間に配設されかつ、前記紙葉類の識別を行う識別部と、
前記第一搬送路に接続された入金リジェクト部と、
前記第一搬送路における所定の箇所と、前記第二搬送路における前記第二反転部よりも下流の箇所とを接続する第三搬送路と、を備え、
前記整理処理を実行するときに、前記収納部から繰り出した紙葉類の内、前記識別部が識別をしたリジェクト紙葉類を、前記第三搬送路を介して前記入金リジェクト部へ搬送する請求項１〜３のいずれか１項に記載の紙葉類処理装置。
【請求項５】
紙葉類を収納する収納部と、
前記収納部に接続された第一搬送路に配設されかつ、前記収納部に向かって搬送される前記紙葉類を選択的に反転させる第一反転部と、
前記収納部に接続された第二搬送路に配設されかつ、前記収納部から繰り出された前記紙葉類を選択的に反転させる第二反転部と、
前記第二搬送路における前記収納部と前記第二反転部との間に配設されかつ、前記紙葉類の識別を行う識別部と、
前記第一搬送路における前記第一反転部よりも上流の箇所と、前記第二搬送路における前記第二反転部よりも下流の箇所とを接続する第三搬送路と、を備え、
前記収納部から繰り出した紙葉類を、前記識別部、前記第二反転部、及び、前記第一反転部の順に通過させることにより、前記紙葉類の表裏及び天地の少なくとも一方を揃えながら前記収納部に収納する精査処理を実行する紙葉類処理装置。
【請求項６】
前記精査処理を実行するときに、前記紙葉類の表裏及び天地の両方を揃えると共に、前記紙葉類の表裏及び天地のいずれか一方の揃えの向きを、所定枚数毎に入れ替える請求項５に記載の紙葉類処理装置。
【請求項７】
前記収納部は、先に入れた前記紙葉類を、先に出すよう構成されている請求項１〜６のいずれか１項に記載の紙葉類処理装置。
【請求項８】
前記第一反転部及び前記第二反転部の一方は、前記紙葉類の搬送方向に直交する搬送幅方向の向きを変えずに、前記紙葉類の表裏を反転し、前記第一反転部及び前記第二反転部の他方は、前記紙葉類の前記搬送幅方向の向きを反転する請求項１〜７のいずれか１項に記載の紙葉類処理装置。
【発明の詳細な説明】
【技術分野】
【０００１】
ここに開示する技術は、紙葉類処理装置に関する。
【背景技術】
【０００２】
特許文献１には、バラ紙幣処理ユニットと帯封紙幣処理ユニットとを備えた紙幣処理装置が記載されている。バラ紙幣処理ユニットは、入金処理時には、入金部に投入された紙幣の向きを識別し、スイッチバック方式の第１の紙幣揃え部が、紙幣の表裏及び天地を所定の向きに揃えて収納部に収納する。また、バラ紙幣処理ユニットは、出金処理時には、スパイラル方式の第２の紙幣揃え部が、収納部から繰り出した紙幣の表裏が揃うように反転する。これにより、表裏及び天地の両方が揃った紙幣を出金部に投出することができる。また、収納部に収納している紙幣を帯封紙幣にする結束整理処理においては、前記と同様に、収納部から繰り出した紙幣の表裏及び天地の両方を揃えた上で、帯封紙幣処理ユニットにおいて帯封紙幣を作成することができる。
【先行技術文献】
【特許文献】
【０００３】
【特許文献１】特開２０１７−１７４４２２号公報
【発明の概要】
【発明が解決しようとする課題】
【０００４】
ところで、特許文献１に記載されている紙幣処理装置において、入金部に投入された紙幣を帯封紙幣にした上で出金する整理処理を行うときには、入金部から取り込んだ紙幣を収納部に収納しない。
【０００５】
ここで、特許文献１に記載されている紙幣処理装置においては、収納部が、紙幣を先入れ先出しとなるように構成されていると共に、第２の紙幣揃え部が、収納部の繰り出し側に接続された搬送路に配設されている。
【０００６】
このため、特許文献１に記載されている紙幣処理装置は、整理処理時に、紙幣を、第２の紙幣揃え部を通過させることができないから、表裏及び天地の両方が揃った帯封紙幣を作成することができない。
【０００７】
また、特許文献１に記載されている紙幣処理装置では、入金処理時に第１の紙幣揃え部が紙幣の表裏及び天地を所定の向きに揃えるから、収納部に収納されている紙幣は表裏及び天地が所定の向きに揃っている。しかしながら、例えばユーザーが手作業で、収納部に紙幣を装填したり、紙幣処理装置において発生したエラーの解除時に、ユーザーが手で収納部に紙幣を戻したりしたときに、収納部に収納されている紙幣の向きが不揃いになってしまう可能性がある。紙幣の向きが不揃いであると、出金処理時や結束整理処理時に、第２の紙幣揃え部が紙幣を反転しても、紙幣の表裏及び天地の両方を揃えることができなくなる。
【０００８】
ここに開示する技術は、第一反転部及び第二反転部が所定のレイアウトで配設されている紙葉類処理装置において、紙葉類の表裏及び／又は天地を揃えることを可能にする。
【課題を解決するための手段】
【０００９】
ここに開示する技術は、紙葉類処理装置に関する。紙葉類処理装置は、紙葉類を収納する収納部と、前記収納部に接続された第一搬送路に配設されかつ、前記収納部に向かって搬送される前記紙葉類を選択的に反転させる第一反転部と、前記収納部に接続された第二搬送路に配設されかつ、前記収納部から繰り出された前記紙葉類を選択的に反転させる第二反転部と、前記第二搬送路に接続されかつ、帯封対象の紙葉類を集積する集積部と、を備える。
【００１０】
そして、前記紙葉類処理装置は、整理処理を実行するときに、投入部に投入された前記帯封対象の紙葉類を、前記第一反転部、前記収納部、及び、前記第二反転部の順に通過させることにより、前記紙葉類の表裏及び天地の両方を揃えて前記集積部に集積する。
【００１１】
前記の構成によると、紙葉類処理装置が整理処理を実行するときに、紙葉類処理装置は、投入部に投入された帯封対象の紙葉類を、第一反転部、収納部、及び、第二反転部の順に通過させる。紙葉類が、第一反転部及び第二反転部の両方を通過するから、紙葉類の表裏及び天地の両方を揃えることができる。集積部に集積した紙葉類は、表裏及び天地の両方が揃っているから、整理処理時に、表裏及び天地の両方が揃った帯封紙葉類を作成することができる。
【００１２】
前記紙葉類処理装置は、前記整理処理を実行する前に、前記収納部に収納されている紙葉類を全て繰り出して、当該収納部を空にする、としてもよい。
【００１３】
こうすることで、投入部に投入された帯封対象の紙葉類は、空の収納部を通過することができる。整理処理の実行時には、投入部に投入されかつ、第一反転部を通過した帯封対象の紙葉類を全て、一旦、空の収納部に収納してもよい。こうすることで、紙葉類の表裏及び天地を所定の向きに揃えて、収納部に収納することができる。そして、当該収納部から繰り出した紙葉類を、第二反転部を通過させて、集積部へ集積することができる。表裏及び天地が所定の向きに揃った紙葉類が第二反転部を通過することによって、表裏及び天地の両方を揃えることができる。
【００１４】
前記紙葉類処理装置は、前記第一搬送路における前記第一反転部よりも下流の箇所と、前記第二搬送路における前記第二反転部と前記集積部との間の箇所とを接続することにより、前記収納部及び前記第二反転部をバイパスするバイパス路を備え、前記帯封対象の紙葉類を、前記第一反転部を通過させることにより、前記紙葉類の表裏及び天地の少なくとも一方を揃えた後、前記バイパス路を介して前記集積部に集積する第二の整理処理を実行する、としてもよい。
【００１５】
第二の整理処理は、紙葉類が第一反転部のみを通過するため、表裏及び天地のいずれか一方のみを揃えることができる。紙葉類処理装置が、表裏及び天地の両方を揃えることができる整理処理と、表裏及び天地のいずれか一方のみを揃えることができる第二の整理処理と、を切り替え可能にすることによって、ユーザーの利便性を向上させることができる。
【００１６】
前記紙葉類処理装置は、前記第二搬送路における前記収納部と前記第二反転部との間に配設されかつ、前記紙葉類の識別を行う識別部と、前記第一搬送路に接続された入金リジェクト部と、前記第一搬送路における所定の箇所と、前記第二搬送路における前記第二反転部よりも下流の箇所とを接続する第三搬送路と、を備え、前記整理処理を実行するときに、前記収納部から繰り出した紙葉類の内、前記識別部が識別をしたリジェクト紙葉類を、前記第三搬送路を介して前記入金リジェクト部へ搬送する、としてもよい。
【００１７】
整理処理の実行時に、収納部から繰り出した紙葉類は、投入部に投入された紙葉類であって、収納部に収納されていた紙葉類ではない。収納部から繰り出した紙葉類のうち、リジェクト紙葉類であると識別された紙葉類を、第三搬送路を介して入金リジェクト部へ搬送することによって、紙葉類処理装置の機外に、紙葉類を投出することができる。
【００１８】
ここに開示する紙葉類処理装置はまた、前記収納部に接続された第一搬送路に配設されかつ、前記収納部に向かって搬送される前記紙葉類を選択的に反転させる第一反転部と、前記収納部に接続された第二搬送路に配設されかつ、前記収納部から繰り出された前記紙葉類を選択的に反転させる第二反転部と、前記第二搬送路における前記収納部と前記第二反転部との間に配設されかつ、前記紙葉類の識別を行う識別部と、前記第一搬送路における前記第一反転部よりも上流の箇所と、前記第二搬送路における前記第二反転部よりも下流の箇所とを接続する第三搬送路と、を備える。
【００１９】
そして、前記紙葉類処理装置は、前記収納部から繰り出した紙葉類を、前記識別部、前記第二反転部、及び、前記第一反転部の順に通過させることにより、前記紙葉類の表裏及び天地の少なくとも一方を揃えながら前記収納部に収納する精査処理を実行する。
【００２０】
前記の構成によると、紙葉類処理装置が精査処理を行うときに、収納部から繰り出した紙葉類が、識別部、第二反転部、及び、第一反転部の順に通過する。紙葉類が第一反転部及び第二反転部の両方を通過するため、表裏及び天地のそれぞれを、任意の向きに揃えることができる。紙葉類の表裏及び天地の両方を揃えて、収納部に再収納してもよい。従って、前記の構成は、収納部に収納している紙葉類の精査を行うことと、収納部に収納する紙葉類の表裏及び天地の少なくとも一方を揃えることと、を同時に行うことができる。
【００２１】
前記紙葉類処理装置は、前記精査処理を実行するときに、前記紙葉類の表裏及び天地の両方を揃えると共に、前記紙葉類の表裏及び天地のいずれか一方の揃えの向きを、所定枚数毎に入れ替える、としてもよい。
【００２２】
紙葉類の一形態として、一部分の厚みが、他の部分の厚みよりも分厚くなった紙葉類が存在している（例えば紙葉類の一部にホログラムや識別マークが取り付けられている紙葉類や、深凹版印刷が施されている紙葉類）。このような紙葉類は、表裏及び天地の両方を揃えて積み重ねると、厚みの異なる箇所が重なり合うため、紙葉類が傾いてしまう恐れがある。積み重ねた紙葉類が傾いていると、収納部から紙葉類を繰り出すときに、繰り出し不良が発生したり、収納部に紙葉類を収納するときに、集積不良が発生したりする恐れがある。
【００２３】
そこで、紙葉類処理装置は、紙葉類の表裏及び天地の両方を揃えると共に、紙葉類の表裏及び天地のいずれか一方の揃えの向きを、所定枚数毎に入れ替えてもよい。こうすることで、厚みの異なる箇所が重なり合う枚数が制限されるため、積み重ねた紙葉類が傾いてしまうことを抑止することができる。繰り出し不良の発生や集積不良の発生を抑制することができる。
【００２４】
前記収納部は、先に入れた前記紙葉類を、先に出すよう構成されている、としてもよい。
【００２５】
前述した各構成は、先入れ先出しに構成された収納部を備えた紙葉類処理装置において、特に有効である。
【００２６】
前記第一反転部及び前記第二反転部の一方は、前記紙葉類の搬送方向に直交する搬送幅方向の向きを変えずに、前記紙葉類の表裏を反転し、前記第一反転部及び前記第二反転部の他方は、前記紙葉類の前記搬送幅方向の向きを反転する、としてもよい。
【００２７】
こうすることで、第一反転部及び第二反転部の両方を通過した紙葉類の、表裏及び天地のそれぞれを、任意の向きに揃えることができる。
【発明の効果】
【００２８】
以上説明したように、前記の紙葉類処理装置によると、整理処理又は精査処理時に、紙葉類の表裏及び／又は天地を揃えることができる。
【図面の簡単な説明】
【００２９】
【図１】図１は、貨幣処理装置の外観を示す斜視図である。
【図２】図２は、貨幣処理装置の構成を例示するブロック図である。
【図３】図３は、バラ紙幣処理ユニットの内部構成を例示する図である。
【図４】図４は、帯封紙幣処理ユニットの内部構成を例示する図である。
【図５】図５は、紙幣の天地方向及び左右方向を説明する図である。
【図６】図６は、紙幣の表裏及び天地の両方を揃えるときの、第一反転部及び第二反転部の動作を説明する図である。
【図７】図７は、整理処理における第一ステップ時の紙幣の搬送を例示する図である。
【図８】図８は、整理処理における第二ステップ時の紙幣の搬送を例示する図である。
【図９】図９は、整理処理における第三ステップ時の紙幣の搬送を例示する図である。
【図１０】図１０は、第二の整理処理における紙幣の搬送を例示する図である。
【図１１】図１１は、精査処理における紙幣の搬送を例示する図である。
【図１２】図１２は、帯封紙幣における紙幣の向きを説明する図である。
【発明を実施するための形態】
【００３０】
以下、紙葉類処理装置の実施形態を図面に基づいて詳細に説明する。以下の説明は、紙葉類処理装置の一例である。図１及び図２は、紙葉類処理装置を含む貨幣処理装置１の構成例を示している。
【００３１】
（貨幣処理装置１の構成）
図１は、貨幣処理装置１の外観を示している。図２は、貨幣処理装置１の構成を示すブロック図である。貨幣処理装置１は、例えば銀行等の金融機関に設置されかつ、入金処理及び出金処理を含む各種の処理を実行する出納機である。尚、貨幣処理装置１は、金融機関に設置することには限定されない。
【００３２】
貨幣処理装置１は、紙葉類処理装置としてのバラ紙幣処理ユニット１００、帯封紙幣処理ユニット２００、バラ硬貨処理ユニット３００、包装硬貨処理ユニット４００、損貨・記念貨処理ユニット５００、有価媒体処理ユニット６００、及び、貨幣保管ユニット７００、及び、これらの各処理ユニット１００〜７００を統合制御する制御部８を含んで構成されている。
【００３３】
バラ紙幣処理ユニット１００は、入金口に投入されたバラ紙幣を、ユニット内の収納部に収納する入金処理や、収納部に収納しているバラ紙幣を、出金口に払い出す出金処理を行うよう構成されている。バラ紙幣処理ユニット１００の構成は、後述する。
【００３４】
帯封紙幣処理ユニット２００は、所定枚数（例えば１００枚）の紙幣を一つに束ねた帯封紙幣を作成しかつ、帯封紙幣をユニット内に収納するよう構成されていると共に、指定された金種及び束数の帯封紙幣を、ユニット外に出金する処理を行うよう構成されている。帯封紙幣処理ユニット２００とバラ紙幣処理ユニット１００とは、隣り合っている。帯封紙幣処理ユニット２００の構成は、後述する。
【００３５】
バラ硬貨処理ユニット３００は、入金口に投入されたバラ硬貨を、ユニット内の収納部に収納する入金処理や、収納部に収納しているバラ硬貨を、出金口に払い出す出金処理を行うよう構成されている。
【００３６】
包装硬貨処理ユニット４００は、所定枚数（例えば５０枚）の硬貨を円筒形状に包装した包装硬貨を作成しかつ、包装硬貨をユニット内に収納するよう構成されていると共に、指定された金種及び本数の包装硬貨を、ユニット外に出金する処理を行うよう構成されている。包装硬貨処理ユニット４００とバラ硬貨処理ユニット３００とは、隣り合っている。
【００３７】
損貨・記念貨処理ユニット５００は、傷みや汚れがひどいため、バラ硬貨処理ユニット３００で処理することができないバラ硬貨（損貨）、並びに、バラ硬貨処理ユニット３００が処理対象としていない記念硬貨などをユニット内に収納する入金処理を行うよう構成されている。損貨・記念貨処理ユニット５００は、有価媒体処理ユニット６００の上面に配置されている。
【００３８】
有価媒体処理ユニット６００は、傷みや汚れがひどいため、バラ紙幣処理ユニット１００で処理することができないバラ紙幣（損券）、及び、バラ紙幣処理ユニット１００が処理対象としていない小切手等の有価媒体などをユニット内に収納する入金処理を行うよう構成されている。
【００３９】
貨幣保管ユニット７００は、紙幣や硬貨、又は、有価証券類等を保管する収納ドロワを複数備えており、操作者が、収納ドロワを開閉することによって、収納ドロワに紙幣等を収納したり、収納ドロワから紙幣等を取り出したりするよう構成されている。
【００４０】
制御部８は、バラ紙幣処理ユニット１００、帯封紙幣処理ユニット２００、バラ硬貨処理ユニット３００、包装硬貨処理ユニット４００、損貨・記念貨処理ユニット５００、有価媒体処理ユニット６００、貨幣保管ユニット７００を制御することによって、銀行の営業店舗における貨幣の出入の管理を行う。貨幣処理装置１は、当該貨幣処理装置１に収納されている紙幣及び硬貨だけでなく、営業店舗に設けられている金庫に保管している貨幣の在高、及び、手持ち管理の貨幣の在高の管理も行うように構成されている。
【００４１】
貨幣処理装置１はまた、第一ターミナル部４１、第二ターミナル部４２、プリンタ５０、及び、記憶部５１を備えている。
【００４２】
第一ターミナル部４１は、包装硬貨処理ユニット４００の上面に配置されており、第二ターミナル部４２は、帯封紙幣処理ユニット２００の上面に配置されている。第一ターミナル部４１及び第二ターミナル部４２は同じ構成を有している。第一ターミナル部４１及び第二ターミナル部４２はそれぞれ、例えばタッチパネル式の表示操作部を有し、操作者に向けて情報を表示すると共に、操作者の操作を受け付ける。表示操作部は、表示を行う表示部と、操作者の操作を受け付ける操作部とに分けてもよい。第一ターミナル部４１及び第二ターミナル部４２はまた、操作者の認証を行うために、カード情報を読み取るカードリーダを有している。
【００４３】
プリンタ５０は、例えば感熱式プリンタや、インクジェットプリンタによって構成され、取引を行う毎に伝票の印刷をしたり、各種のジャーナルの印刷を行ったりする。プリンタ５０は、バラ紙幣処理ユニット１００の上面と、バラ硬貨処理ユニット３００の上面とのそれぞれに配置されている。
【００４４】
記憶部５１は、例えばハードディスクドライブや、不揮発性メモリによって構成されている。記憶部５１は、貨幣処理装置１において収納している紙幣及び硬貨の在高情報を記憶している。記憶部５１はまた、貨幣処理装置１が行った取引の情報を記憶している。
【００４５】
（バラ紙幣処理ユニットの構成）
図３は、バラ紙幣処理ユニット１００の構成を例示している。バラ紙幣処理ユニット１００には、バラ紙幣を出金するための出金口１０１とバラ紙幣を入金するための入金口１０２が設けられている。
【００４６】
バラ紙幣処理ユニット１００は、入金部１０３と、入金リジェクト部１０４と、出金部１０５と、出金リジェクト部１０６と、搬送部１０７と、入金識別部１０８と、出金識別部１０９と、第一反転部１１０と、第二反転部１１１と、四つの収納部１１２と、四つの一時保留部１１３と、二つの集積部１１４と、運搬部１１５と、を備えている。
【００４７】
入金部１０３は、入金口１０２につながっている。ユーザーは、入金口１０２を通じて入金部１０３にバラ紙幣を投入する。入金部１０３は、投入部の一例である。入金部１０３は、繰出機構１０３ａを備えている。繰出機構１０３ａは、入金部１０３に投入されたバラ紙幣を一枚ずつ搬送部１０７へ繰り出す。入金リジェクト部１０４は、主に、入金識別部１０８によってリジェクト紙幣と識別された紙幣を受け取る。入金リジェクト部１０４は、入金口１０２につながっている。ユーザーは、入金口１０２を通じて入金リジェクト部１０４からバラ紙幣を取り出す。
【００４８】
出金部１０５は、主に、収納部１１２から繰り出された紙幣を受け取る。出金部１０５は、出金口１０１につながっている。ユーザーは、出金口１０１を通じて出金部１０５からバラ紙幣を取り出す。出金リジェクト部１０６は、主に、出金識別部１０９によりリジェクト紙幣と識別された紙幣を受け取る。
【００４９】
搬送部１０７は、ベルト機構、ローラー機構等により構成されている。搬送部１０７は、入金部１０３から収納部１１２（正確には、一時保留部１１３）までをつなぐ第一搬送路１１６と、収納部１１２から集積部１１４までをつなぐ第二搬送路１１７と、第一搬送路１１６と第二搬送路１１７とをつなぐ第三搬送路１１８及びバイパス路１１９と、入金リジェクト搬送路１２０と、出金搬送路１２１と、を含んでいる。
【００５０】
第三搬送路１１８は、第二搬送路１１７における第二反転部１１１と集積部１１４との間と、第一搬送路１１６における入金識別部１０８と第一反転部１１０との間とをつないでいる。バイパス路１１９は、第一搬送路１１６の先端から分岐して、第二搬送路１１７における集積部１１４の上流に接続されている。入金リジェクト搬送路１２０は、第一搬送路１１６から分岐して、入金リジェクト部１０４に接続されている。出金搬送路１２１は、第二搬送路１１７から分岐して、出金部１０５に接続されている。出金搬送路１２１はまた、途中で分岐して、出金リジェクト部１０６に接続されている。
【００５１】
図５に示すように、長方形状である紙幣ＢＮは、長手の縁を前にして搬送部１０７に搬送される。搬送部１０７は、紙幣ＢＮを一枚一枚、間隔を空けて、各搬送路に沿って搬送する。
【００５２】
入金識別部１０８は、第一搬送路１１６に配設されている。より詳細に、入金識別部１０８は、第一搬送路１１６において、入金部１０３と、第三搬送路１１８の接続位置との間に配設されている。入金識別部１０８は、紙幣ＢＮの金種、真偽、表裏、向き、正損、新旧、搬送状態等を識別する。
【００５３】
出金識別部１０９は、第二搬送路１１７に配設されている。より詳細に、出金識別部１０９は、第二搬送路１１７において、収納部１１２と、後述する第二反転部１１１との間に配設されている。出金識別部１０９は、紙幣ＢＮの金種、真偽、表裏、向き、正損、新旧、搬送状態等を識別する。
【００５４】
ここで、入金識別部１０８及び出金識別部１０９が識別を行う紙幣ＢＮの方向について説明をする。紙幣ＢＮの方向は、紙幣ＢＮの表裏と向きとの組み合わせによって、Ａ方向、Ｂ方向、Ｃ方向及びＤ方向の四つの方向に定まる。紙幣ＢＮの天地方向は、図５に示すように、紙幣ＢＮに描かれた肖像画を基準とした上下の方向である。紙幣ＢＮの左右方向は、天地方向に直交する方向である。長手の縁を前にして搬送される紙幣ＢＮにおいて、天地方向は、搬送方向に一致する。左右方向は、搬送方向に直交する。尚、以下の説明において、搬送方向に直交する方向を、搬送幅方向と呼ぶ場合がある。
【００５５】
図６に示すように、Ａ方向は、紙幣ＢＮが表向きでかつ、搬送方向に対して紙幣ＢＮの天地方向が従う方向である。Ｂ方向は、紙幣ＢＮが表向きでかつ、搬送方向に対して紙幣ＢＮの天地方向が逆らう方向である。Ｃ方向は、紙幣ＢＮが裏向きでかつ、搬送方向に対して紙幣ＢＮの天地方向が逆らう方向である。Ｄ方向は、紙幣ＢＮが裏向きでかつ、搬送方向に対して紙幣ＢＮの天地方向が従う方向である。
【００５６】
第一反転部１１０は、第一搬送路１１６における、第三搬送路１１８の接続箇所よりも下流側に配置されている。第一反転部１１０は、入金識別部１０８の識別結果に応じて、紙幣ＢＮの表裏及び天地方向の両方を、選択的に反転するよう構成されている。第一反転部１１０は、紙幣ＢＮの表裏及び天地方向を反転させるスイッチバック方式の反転パス１１０ａと、紙幣ＢＮの表裏及び天地方向を反転することなく通過させるバイパス１１０ｂと、を有している。
【００５７】
反転パス１１０ａを通過した紙幣ＢＮは、搬送幅方向の向きを変えずに、紙幣ＢＮの表裏と搬送方向の向き（つまり、天地方向の向き）との両方が反転する。第一反転部１１０は、入金識別部１０８の識別結果に応じて、表裏及び天地方向の向きを反転する必要がある紙幣ＢＮは、反転パス１１０ａを通過させ、表裏及び天地方向の向きを反転する必要がない紙幣ＢＮは、バイパス１１０ｂを通過させる。
【００５８】
第二反転部１１１は、第二搬送路１１７において、出金識別部１０９よりも下流側かつ、第三搬送路１１８の接続箇所よりも上流側に設けられている。第二反転部１１１は、紙幣ＢＮの搬送幅方向の向きを、選択的に反転するよう構成されている。第二反転部１１１は、紙幣ＢＮの搬送幅方向の向きを反転させる反転パス１１１ａと、紙幣ＢＮの搬送幅方向の向きを反転することなく通過させるバイパス１１１ｂと、を有している。反転パス１１１ａには、紙幣ＢＮを反転する反転機構１１１ｃが配設されている。バイパス１１１ｂには、バイパス路１１９が接続されている。反転機構１１１ｃは、この構成例では、紙幣ＢＮの搬送方向に沿って伸びる軸回りに、紙幣ＢＮを回転させる方式（いわゆるスパイラル方式）に構成されている。反転機構１１１ｃは、紙幣ＢＮの搬送方向に直交する搬送幅方向（つまり、紙幣ＢＮの左右方向）の向きと、紙幣ＢＮの表裏との両方を反転することができる。第二反転部１１１は、スイッチバック方式の第一反転部１１０とは機能が相違する。反転機構１１１ｃの構成の詳細は省略するが、反転機構１１１ｃは、様々な公知の構成を採用することができる。
【００５９】
第二反転部１１１は、出金識別部１０９の識別結果に応じて、左右方向の向きを反転する必要がある紙幣ＢＮは、反転パス１１１ａを通過させ、左右方向の向きを反転する必要がない紙幣ＢＮは、バイパス１１１ｂを通過させる。反転機構１１１ｃの下流において、反転パス１１１ａとバイパス１１１ｂとは合流する。このバラ紙幣処理ユニット１００は、第一反転部１１０と第二反転部１１１との二種類の反転部を備えることにより、紙幣ＢＮの表裏及び天地方向の向きの両方を揃えることができる。
【００６０】
ここで、図６に示すフローを参照しながら、紙幣ＢＮの表裏及び天地方向の向きを揃えるための、第一反転部１１０及び第二反転部１１１の動作について説明する。ここでは、入金部１０３から取り込まれた紙幣ＢＮが第一反転部１１０を通過した後、収納部１１２に収納される入金処理、及び、収納部１１２から繰り出された紙幣ＢＮが第二反転部１１１を通過した後、出金部１０５に投出される出金処理が行われる例において、第一反転部１１０及び第二反転部１１１の動作を説明する。尚、以下の説明においては、第一反転部１１０及び第二反転部１１１によって、紙幣ＢＮをＡ方向に揃えるとする。但し、紙幣ＢＮの揃えの向きは、Ａ方向に限らず、Ｂ方向、Ｃ方向及びＤ方向のいずれであってもよい。
【００６１】
入金部１０３から取り込まれた紙幣ＢＮは、入金識別部１０８によって識別される。入金識別部１０８の識別結果による紙幣ＢＮの方向に応じて、図６のプロセスは、ステップＳ４１〜Ｓ４４に進む。つまり、紙幣ＢＮがＡ方向であるときにはステップＳ４１に進み、紙幣ＢＮがＢ方向であるときにはステップＳ４２に進み、紙幣ＢＮがＣ方向であるときにはステップＳ４３に進み、紙幣ＢＮがＤ方向であるときにはステップＳ４４に進む。
【００６２】
ステップＳ５１〜Ｓ５４は、第一反転部１１０における反転動作に係る。ステップＳ４１に続くステップＳ５１においては、紙幣ＢＮを反転させる必要がないため、第一反転部１１０は、紙幣ＢＮを通過させる（つまり、紙幣ＢＮは、バイパス１１０ｂを通過する）。紙幣の方向はＡ方向のままである（ステップＳ６１参照）。ステップＳ４２に続くステップＳ５２において、第一反転部１１０は、紙幣ＢＮを反転させる（つまり、紙幣ＢＮは、反転パス１１０ａを通過する）。これにより、紙幣ＢＮの表裏及び天地方向の向きの両方が反転し、紙幣の方向はＢ方向からＤ方向になる（ステップＳ６２参照）。ステップＳ４３に続くステップＳ５３において、第一反転部１１０は、紙幣ＢＮを反転させる。これにより、紙幣ＢＮの方向はＣ方向からＡ方向になる（ステップＳ６３参照）。ステップＳ４４に続くステップＳ５４において、第一反転部１１０は、紙幣ＢＮを通過させる。紙幣ＢＮの方向はＤ方向のままである（ステップＳ６４参照）。第一反転部１１０は、紙幣ＢＮの天地を揃えている。
【００６３】
第一反転部１１０を通過した紙幣ＢＮは、収納部１１２に収納される。そして、収納部１１２から繰り出された紙幣ＢＮは、出金識別部１０９において識別される。図６のプロセスは、ステップＳ５１、Ｓ５２、Ｓ５３、及びＳ５４に対応して、ステップＳ６１、Ｓ６２、Ｓ６３、及びＳ６４に分かれる。紙幣ＢＮは、前述したように、Ａ方向又はＤ方向である。
【００６４】
ステップＳ７１〜７４は、第二反転部１１１における反転動作に係る。ステップＳ６１に続くステップＳ７１においては、紙幣ＢＮを反転させる必要がないため、第二反転部１１１は、紙幣ＢＮを通過させる（つまり、紙幣ＢＮは、バイパス１１１ｂを通過する）。紙幣ＢＮの方向はＡ方向のままである。ステップＳ６２に続くステップＳ７２において、第二反転部１１１は、紙幣ＢＮを反転させる（つまり、紙幣ＢＮは、反転パス１１１ａを通過する）。これにより、紙幣ＢＮの表裏及び左右方向の向きの両方が反転し、紙幣ＢＮの方向はＤ方向からＡ方向になる。ステップＳ６３に続くステップＳ７３において、第二反転部１１１は、紙幣ＢＮを通過させる。これにより、紙幣ＢＮの方向はＡ方向のままになる。ステップＳ６４に続くステップＳ７４において、第二反転部１１１は、紙幣ＢＮを反転させる。紙幣ＢＮの方向はＤ方向からＡ方向になる。こうして、紙幣ＢＮを全て、Ａ方向に揃えることができる。
【００６５】
収納部１１２は、入金された紙幣を金種別に収納するために利用される。たとえば、四つの収納部１１２のそれぞれに対し、一万円、千円、５千円、及び、混合の金種が割り当てられている。収納部１１２内には、紙幣が上下に積まれるように収納される。収納部１１２には、その天面に紙幣の入口が形成され、その底面に紙幣の出口が形成される。収納部１１２には、その底面側に繰出機構（図示せず）が設けられ、収納部１１２内の紙幣を第二搬送路１１７に繰り出すことができる。収納部１１２は、先に入れた紙幣ＢＮを先に出す、いわゆる先入れ先出しに構成されている。
【００６６】
一時保留部１１３は、対応する収納部１１２の上方に配置される。一時保留部１１３は、収納部１１２に収納される紙幣を一時的に保留する。四つの一時保留部１１３には、第一搬送路１１６が分岐して接続されている。
【００６７】
各集積部１１４は、搬送部１０７により搬送された紙幣を、所定の帯封枚数（例えば、１００枚）となるまで集積する。運搬部１１５は、一対のアームを備えている。運搬部１１５は、集積部１１４に集積されているバラ紙幣を、一対のアームで挟んで集積部１１４内から取り出し、後述する帯封紙幣処理ユニット２００の帯封機構２０１へ運搬する。
【００６８】
（帯封紙幣処理ユニットの構成）
図４は、帯封紙幣処理ユニット２００の構成を例示している。帯封紙幣処理ユニット２００は、帯封機構２０１と、第一搬送機構２０２と、昇降機構２０３と、第二搬送機構２０４と、五つのスタッカ２０５と、を備える。
【００６９】
帯封機構２０１は、運搬部１１５の前方に設けられ、運搬部１１５によって搬送されてきたバラ紙幣の束を帯封することによって帯封紙幣を作成する。
【００７０】
第一搬送機構２０２は、帯封機構２０１の前方に設けられている。第一搬送機構２０２は、前後方向に延びる上下一対のベルトユニット２０２ａを有している。第一搬送機構２０２は、上下一対のベルトユニット２０２ａの間に帯封紙幣を挟んで、前方の昇降機構２０３へ帯封紙幣を搬送する。
【００７１】
昇降機構２０３は、帯封紙幣処理ユニット２００の前面に沿うように上下に延びる昇降スペース２０３ａと、帯封紙幣を載置した状態で、昇降スペース２０３ａ内を昇降するリフト２０３ｂとを含んでいる。昇降スペース２０３ａは、その上部において入出金口２０６につながり、その下部において投出口２０７につながる。リフト２０３ｂは、投出口２０７の位置を待機位置とし、この待機位置と第一搬送機構２０２及び入出金口２０６がある上限位置との間を昇降する。
【００７２】
リフト２０３ｂは、ベースと、ベース上に積層されかつ、ベースに対して傾斜可能な載置板とを備える。帯封紙幣を載せたリフト２０３ｂが待機位置にあるときに載置板が傾斜すると、帯封紙幣が載置板から滑り落ちて投出口２０７から投出される。また、リフト２０３ｂは、第一搬送機構２０２から帯封紙幣を受け取り、受け取った帯封紙幣を第二搬送機構２０４まで搬送する。さらに、リフト２０３ｂは、第二搬送機構２０４から帯封紙幣を受け取り、受け取った帯封紙幣を入出金口２０６や投出口２０７の位置まで搬送する。
【００７３】
第二搬送機構２０４は、前後に離れて配置された一対のローラー２０４ａの間に架け渡されたベルトによって構成されている。ベルトは、図４における時計回りと反時計回りの双方に周回することができる。ベルトには、複数の突起が等間隔で形成されている。ベルトの周回に伴って突起が前後に移動することにより、ベルトの下方に設けられた束搬送路２０４ｂの上を、突起に押されて帯封紙幣が移動する。
【００７４】
ベルトの前端部は、昇降スペース２０３ａ内に張り出している。第二搬送機構２０４には、一対のローラー２０４ａの間に、支点ローラー２０４ｃが設けられており、ベルトは、前側のローラー２０４ａと支点ローラー２０４ｃとの間の部分が、支点ローラー２０４ｃを支点として、昇降スペース２０３ａ内に進出する進出位置と昇降スペース２０３ａ内から退避する退避位置との間で回動する（二点鎖線の矢印参照）。リフト２０３ｂが第一搬送機構２０２側から降下するときには、ベルトが退避位置に退避するため、リフト２０３ｂの降下が邪魔されない。一方、リフト２０３ｂが束搬送路２０４ｂの高さ位置まで降下して停止すると、ベルトが進出位置に進出する。これにより、リフト２０３ｂに載せられた帯封紙幣を束搬送路２０４ｂへ移動させたり、束搬送路２０４ｂを搬送された帯封紙幣をリフト２０３ｂに載せたりすることが可能となる。
【００７５】
スタッカ２０５は、帯封機構２０１により生成された帯封紙幣を金種別に収納するために利用される。たとえば、５つのスタッカ２０５のそれぞれに対し、一万円、千円、５千円等の金種が割り当てられている。スタッカ２０５内には、帯封紙幣が上下に積まれるように収納される。収納された帯封紙幣を昇降するため、スタッカ２０５内に昇降ステージ２０５ａが設けられている。
【００７６】
束搬送路２０４ｂには、各スタッカ２０５の上方にシャッターにより開閉される出入口が設けられている。束搬送路２０４ｂからスタッカ２０５へ帯封紙幣を収納する際やスタッカ２０５から束搬送路２０４ｂへ帯封紙幣を送り出す際にシャッターが開放され、出入口が開く。出入口を通じてスタッカ２０５に帯封紙幣が出し入れされる。
【００７７】
（バラ紙幣処理ユニットにおける各種処理）
以下、バラ紙幣処理ユニット１００において行われる、入金処理、出金処理、結束整理処理、整理処理、及び、精査処理の各処理について、順に説明をする。
【００７８】
（入金処理）
入金処理を行うときには、ユーザーは、入金部１０３に入金対象のバラ紙幣を投入する。ユーザーが入金処理のための操作を行うと、入金部１０３の繰出機構１０３ａは、バラ紙幣を一枚ずつ繰り出す。搬送部１０７は、バラ紙幣を一枚ずつ搬送する。
【００７９】
入金識別部１０８は、紙幣ＢＮの識別を行う。第一反転部１１０は、入金識別部１０８の識別結果に基づいて、反転が必要な紙幣ＢＮを選択的に反転させる。前述したように、第一反転部１１０は、紙幣ＢＮの天地を揃える。第一反転部１１０を通過した紙幣ＢＮはその後、金種に対応する、一時保留部１１３に収納される。尚、入金識別部１０８がリジェクト紙幣と識別した紙幣ＢＮは、搬送部１０７によって、入金リジェクト搬送路１２０を通じて、入金リジェクト部１０４へ搬送される。
【００８０】
入金部１０３から紙幣ＢＮが全て繰り出されると共に、ユーザーによる承認操作が行われると、一時保留部１１３から紙幣ＢＮを排出して収納部１１２に収納する。こうして、入金処理が終了する。収納部１１２内では、所定の方向（出金時等に紙幣ＢＮの向きをＡ方向に揃えるのであれば、Ａ方向又はＤ方向）の紙幣ＢＮが積み重なる。
【００８１】
（出金処理）
ユーザーが出金処理のための操作を行うと、出金処理が開始される。収納部１１２は、紙幣ＢＮを一枚ずつ繰り出し、搬送部１０７は、紙幣ＢＮを一枚ずつ搬送する。出金識別部１０９は、紙幣ＢＮの識別を行う。第二反転部１１１は、反転が必要な紙幣ＢＮを選択的に反転させる。これにより、第二反転部１１１を通過した紙幣ＢＮは、表裏及び天地の両方が揃っている。搬送部１０７はその後、紙幣ＢＮを、出金搬送路１２１を通じて、出金部１０５へ搬送する。こうして、表裏及び天地の両方が揃った紙幣ＢＮを、出金部１０５に投出することができる。尚、出金識別部１０９がリジェクト紙幣と識別した紙幣ＢＮは、搬送部１０７によって、出金リジェクト部１０６へ搬送される。
【００８２】
（結束整理処理）
結束整理処理は、バラ紙幣処理ユニット１００の収納部１１２に収納している紙幣を、表裏及び天地の両方を揃えた上で、帯封紙幣処理ユニット２００において帯封し、帯封紙幣処理ユニット２００のスタッカ２０５に収納する処理である。
【００８３】
ユーザーが結束整理処理のための操作を行うと、結束整理処理が開始される。収納部１１２は、紙幣ＢＮを一枚ずつ繰り出し、搬送部１０７は、紙幣ＢＮを一枚ずつ搬送する。出金識別部１０９は、紙幣ＢＮの識別を行う。第二反転部１１１は、反転が必要な紙幣ＢＮを選択的に反転させる。これにより、第二反転部１１１を通過した紙幣ＢＮは、表裏及び天地の両方が揃っている。搬送部１０７はその後、紙幣ＢＮを、集積部１１４へ搬送する。尚、出金識別部１０９がリジェクト紙幣と識別した紙幣ＢＮは、搬送部１０７によって、出金リジェクト部１０６へ搬送される。
【００８４】
集積部１１４に、帯封枚数分（通常は、１００枚）の紙幣ＢＮが集積されると、運搬部１１５が紙幣ＢＮの束を集積部１１４から取り出して、帯封紙幣処理ユニット２００の帯封機構２０１に運搬する。帯封機構２０１は、帯封紙幣を作成し、作成された帯封紙幣は、第一搬送機構２０２、昇降機構２０３、及び、第二搬送機構２０４の順に搬送され、金種に対応するスタッカ２０５に収納される。こうして紙幣ＢＮの表裏及び天地の両方が揃った帯封紙幣が、スタッカ２０５に収納される。
【００８５】
（整理処理）
整理処理は、バラ紙幣処理ユニット１００の入金部１０３に投入された紙幣を、表裏及び天地の両方を揃えた上で、帯封紙幣処理ユニット２００において帯封し、帯封紙幣処理ユニット２００の入出金口２０６又は投出口２０７から投出する処理である。以下、整理処理について、図７〜９を参照しながら説明をする。
【００８６】
図７は、整理処理における第一ステップ時の紙幣ＢＮの搬送を示している。第一ステップは、入金部１０３に投入された紙幣を取り込む前に、空の収納部１１２を設けるステップである。尚、空の収納部１１２が存在しているときには、第一ステップは省略される。
【００８７】
第一ステップにおいて空にする収納部１１２は、例えば混合金種を収納する収納部１１２としてもよい。図７に実線の矢印で示すように、当該収納部１１２が紙幣ＢＮを繰り出すと、出金識別部１０９は紙幣ＢＮの識別を行う。その後、第二反転部１１１は、紙幣ＢＮを、バイパス１１１ｂを通過させると共に、搬送部１０７は、第三搬送路１１８を通じて紙幣ＢＮを、第一搬送路１１６に戻す。第一反転部１１０も、紙幣ＢＮを、バイパス１１０ｂを通過させる。尚、出金識別部１０９の識別結果に応じて、第二反転部１１１及び第一反転部１１０において、紙幣ＢＮを適宜反転させることにより、紙幣ＢＮの表裏及び／又は天地を揃えるようにしてもよい。
【００８８】
第一反転部１１０を通過した紙幣ＢＮは、一時保留部１１３を介して、対応する金種（一万円、五千円、千円）を収納する収納部１１２に収納される。尚、例えば二千円のように、対応する収納部１１２が存在しない金種の紙幣ＢＮは、第三搬送路１１８を通過させずに出金搬送路１２１を介して出金リジェクト部１０６へ搬送する。また、収納部１１２の収納量がフル又はニアフルであって、それ以上に紙幣ＢＮを収納することが難しいときにも、当該紙幣ＢＮを、出金リジェクト部１０６へ搬送する。収納部１１２の収納量は、記憶部５１が記憶している在高情報に基づく。そうして、第一ステップにおいては、混合金種を収納する収納部１１２を空にする。
【００８９】
尚、混合金種を収納する収納部１１２を空にする代わりに、収納量の少ない収納部１１２を空にしてもよい。この場合、当該収納部１１２から繰り出した紙幣ＢＮは、混合金種を収納する収納部１１２に収納してもよい。また、収納量の少ない収納部１１２から繰り出した紙幣ＢＮは、出金リジェクト部１０６に収納してもよい。
【００９０】
図８は、整理処理における第二ステップ時の紙幣ＢＮの搬送を示している。第二ステップは、入金部１０３に投入された紙幣を取り込んで、空にした収納部１１２に収納するステップである。第二ステップは、前述した入金処理に準じて行われる。つまり、実線の矢印で示すように、入金部１０３の繰出機構１０３ａは、バラ紙幣を一枚ずつ繰り出し、搬送部１０７は、バラ紙幣を一枚ずつ搬送する。入金識別部１０８は、紙幣ＢＮの識別を行い、第一反転部１１０は、入金識別部１０８の識別結果に基づいて、反転が必要な紙幣ＢＮを選択的に反転させる。第一反転部１１０を通過した紙幣ＢＮは、空にした収納部１１２に対応する一時保留部１１３に収納され、その後、当該収納部１１２に収納される。尚、入金識別部１０８がリジェクト紙幣と識別した紙幣ＢＮは、入金リジェクト搬送路１２０を通じて、入金リジェクト部１０４へ搬送される（図８の破線の矢印参照）。
【００９１】
図９は、整理処理における第三ステップ時の紙幣ＢＮの搬送を示している。第三ステップは、収納部１１２から繰り出した紙幣を集積部１１４に搬送するステップである。第三ステップは、前述した出金処理に準じて行われる。つまり、実線の矢印で示すように、収納部１１２は、紙幣ＢＮを一枚ずつ繰り出し、搬送部１０７は、紙幣ＢＮを一枚ずつ搬送する。出金識別部１０９は、紙幣ＢＮの識別を行う。第二反転部１１１は、反転が必要な紙幣ＢＮを選択的に反転させる。これにより、第二反転部１１１を通過した紙幣ＢＮは、表裏及び天地の両方が揃っている。搬送部１０７はその後、紙幣ＢＮを、集積部１１４へ搬送する。こうして、集積部１１４に集積する紙幣ＢＮの表裏及び天地の両方を揃えることができる。
【００９２】
ここで、集積部１１４に集積する紙幣ＢＮの金種が一金種であるときには、紙幣ＢＮは、二つの集積部１１４に交互に集積してもよい。また、集積部１１４に集積する紙幣ＢＮの金種が二金種であるときには、二つの集積部１１４のそれぞれに、金種別に紙幣ＢＮを集積してもよい。さらに、集積部１１４に集積する紙幣ＢＮの金種が三金種以上であるときには、先ず任意の二金種の紙幣ＢＮを、二つの集積部１１４のそれぞれに集積すると共に、それらとは異なる金種の紙幣ＢＮは、一時保留部１１３から収納部１１２に再収納する。そうして、最初の二金種の紙幣ＢＮについて、集積及び帯封が終了した後に、残りの金種の紙幣ＢＮを、集積部１１４に集積するようにしてもよい。
【００９３】
出金識別部１０９がリジェクト紙幣と識別した紙幣ＢＮは、出金リジェクト部１０６へ搬送するのではなく、第三搬送路１１８を介して入金リジェクト部１０４へ搬送される（図９の破線の矢印参照）。整理処理において発生したリジェクト紙幣は、収納部１１２から繰り出される紙幣であるが、機外の紙幣に相当するためである。尚、リジェクト紙幣と識別された紙幣ＢＮを、入金リジェクト部１０４へ搬送する代わりに、当該紙幣ＢＮを繰り出した収納部１１２に対応する一時保留部１１３へ戻し、収納部１１２を通じて、出金識別部１０９による識別を再度行うようにしてもよい。
【００９４】
図示は省略するが、集積部１１４に集積された紙幣ＢＮが帯封枚数に到達すると、運搬部１１５が紙幣ＢＮを帯封機構２０１に運搬する。帯封紙幣処理ユニット２００において帯封機構２０１が帯封紙幣を作成し、作成された帯封紙幣は、入出金口２０６又は投出口２０７から投出される。
【００９５】
図３に示す構成のバラ紙幣処理ユニット１００は、第二反転部１１１が、収納部１１２の繰り出し側に接続された第二搬送路１１７に配設されており、収納部１１２から繰り出された紙幣ＢＮしか、第二反転部１１１を通過することができない。整理処理は、入金部１０３に投入された紙幣ＢＮを、帯封紙幣として払い出す処理であるから、通常であれば、紙幣ＢＮを収納部１１２に収納することは行わない。そのため、前述した構成のバラ紙幣処理ユニット１００は、整理処理において、紙幣ＢＮの表裏及び天地の両方を揃えることができなくなる。
【００９６】
これに対し、前記のバラ紙幣処理ユニット１００は、収納部１１２の一つを空にすることによって、整理処理を行うときに、紙幣ＢＮを、第一反転部１１０、収納部１１２、及び、第二反転部１１１の順に通過させる。このことにより、紙幣ＢＮの表裏及び天地の両方を揃えることができる。その結果、整理処理時に、表裏及び天地の両方が揃った帯封紙幣を作成することができる。
【００９７】
ここで、この貨幣処理装置１においては、紙幣ＢＮの表裏のみを揃えて、天地の揃えを行わない第二の整理処理も可能に構成されている。ユーザーは、整理処理を実行する際に、天地の揃えの要否を選択することが可能である。バラ紙幣処理ユニット１００は、ユーザーの選択に応じて、図７〜図９を参照しながら説明をした整理処理と、第二の整理処理（図１０参照）とを切り替える。
【００９８】
図１０は、第二の整理処理における紙幣ＢＮの搬送を示している。実線の矢印で示すように、入金部１０３の繰出機構１０３ａは、バラ紙幣を一枚ずつ繰り出し、搬送部１０７は、バラ紙幣を一枚ずつ搬送する。入金識別部１０８は、紙幣ＢＮの識別を行い、第一反転部１１０は、入金識別部１０８の識別結果に基づいて、反転が必要な紙幣ＢＮを選択的に反転させる。このときに、第一反転部１１０は、紙幣ＢＮの表裏を揃える。従って、図６とは異なり、第一反転部１１０は、Ｂ方向の紙幣ＢＮは反転せずに通過させ、Ｃ方向及びＤ方向の紙幣ＢＮはそれぞれ、反転させる。
【００９９】
第一反転部１１０を通過した紙幣ＢＮはその後、バイパス路１１９を通って第二搬送路１１７へ搬送される。つまり、紙幣ＢＮは、収納部１１２、出金識別部１０９及び第二反転部１１１をバイパスする。尚、入金識別部１０８がリジェクト紙幣と識別した紙幣ＢＮは、入金リジェクト搬送路１２０を通じて、入金リジェクト部１０４へ搬送される（図１０の破線の矢印参照）。
【０１００】
搬送部１０７はその後、紙幣ＢＮを集積部１１４へ搬送する。集積部１１４に集積された紙幣ＢＮが帯封枚数に到達すると、運搬部１１５が紙幣ＢＮを帯封機構２０１に運搬する。前述したように、帯封紙幣処理ユニット２００の帯封機構２０１が帯封紙幣を作成し、作成された帯封紙幣は、入出金口２０６又は投出口２０７から投入される。
【０１０１】
このように、紙幣ＢＮの表裏及び天地の両方を揃えることができる整理処理（第一の整理処理）と、表裏のみを揃えることができる第二の整理処理と、を切り替え可能にすることによって、ユーザーの利便性を向上させることができる。例えば、紙幣の揃い具合を優先する場合は、第一の整理処理を実行する。一方、処理時間の短縮が求められる場合や、空の収納部を設けることができない場合には、第二の整理処理を実行する。
【０１０２】
尚、第二の整理処理は、紙幣ＢＮの表裏を揃えるのではなく、紙幣ＢＮの天地を揃えるようにしてもよい。
【０１０３】
（精査処理）
精査処理は、収納部１１２に収納している紙幣ＢＮの在高を確定する処理であるが、この貨幣処理装置１においては、精査処理を実行しているときに、紙幣ＢＮの表裏及び天地の両方を揃えて、収納部１１２に再収納する。以下、精査処理について、図１１を参照しながら説明をする。
【０１０４】
精査処理は、ユーザーによって精査処理の実行が指定されたとき、又は、予め設定されているスケジュールに従って自動的に、又は、収納部１１２内に紙幣ＢＮの在高が不確定になったとき（例えば、収納部１１２がユーザーによって開けられた時等）に、開始する。
【０１０５】
精査対象の収納部１１２が紙幣ＢＮの繰り出しを開始する前に、収納部１１２に収納されている紙幣の一番上に、セパレータ１１２ａを出現させる。セパレータ１１２ａは、元々収納部１１２に収納されていた紙幣ＢＮと、精査処理が開始された後に、収納部１１２に再収納された紙幣ＢＮとの区切りを構成する。収納部１１２が紙幣ＢＮを繰り出すことに伴い、セパレータ１１２ａは下方に移動し、セパレータ１１２ａよりも下側の紙幣ＢＮがなくなると、全ての紙幣ＢＮが収納部１１２から繰り出されたことになる。尚、セパレータ１１２ａは、各収納部１１２に設けられ、通常は収納空間外の退避した位置にあるが、必要時には収納空間内に進入した位置に移動する。
【０１０６】
精査処理が開始すると、図１１に実線の矢印で示すように、精査対象の収納部１１２は、紙幣ＢＮを一枚一枚繰り出す。搬送部１０７は、紙幣ＢＮを一枚ずつ搬送する。出金識別部１０９は、紙幣ＢＮの識別を行う。
【０１０７】
第二反転部１１１は、反転が必要な紙幣ＢＮを選択的に反転させる。具体的に、紙幣ＢＮをＡ方向に揃えて収納部１１２に再収納するときには、図６に示すフローに準じて、第二反転部１１１は紙幣ＢＮを反転する。つまり、紙幣ＢＮがＡ方向であれば、第二反転部１１１は、紙幣ＢＮを通過させる。紙幣ＢＮがＢ方向であれば、第二反転部１１１は、紙幣ＢＮを反転させる。これにより、紙幣ＢＮの表裏及び左右方向の向きの両方が反転し、紙幣ＢＮの方向はＢ方向からＣ方向になる。紙幣ＢＮがＣ方向であれば、第二反転部１１１は、紙幣ＢＮを通過させる。紙幣ＢＮがＤ方向であれば、第二反転部１１１は、紙幣ＢＮを反転させる。これにより、紙幣ＢＮの方向はＤ方向からＡ方向になる。こうして、紙幣ＢＮは、Ａ方向又はＣ方向に揃う。
【０１０８】
第二反転部１１１を通過した後、搬送部１０７は、紙幣ＢＮを、第三搬送路１１８を介して、第一搬送路１１６に戻す。紙幣ＢＮは、第一反転部１１０に到達する。
【０１０９】
第一反転部１１０は、反転が必要な紙幣ＢＮを選択的に反転させる。具体的には、出金識別部１０９の識別結果（及び第二反転部１１１の反転動作）に基づいて、紙幣ＢＮを反転する。前述したように、第二反転部１１１を通過した紙幣ＢＮは、Ａ方向又はＣ方向であるため、紙幣ＢＮがＡ方向であれば、第一反転部１１０は、紙幣ＢＮを通過させる。紙幣ＢＮがＣ方向であれば、第一反転部１１０は、紙幣ＢＮを反転させる。これにより、紙幣ＢＮの方向はＣ方向からＡ方向になる。よって、紙幣ＢＮの表裏及び天地の両方を揃えることができる。
【０１１０】
第一反転部１１０を通過した後、紙幣ＢＮは、元の収納部１１２に収納される。そうして、収納部１１２から繰り出した全ての紙幣ＢＮが、当該収納部１１２に再収納されると、精査処理が終了する。
【０１１１】
このように、精査処理を行うときに、収納部１１２から繰り出した紙幣ＢＮを、出金識別部１０９、第二反転部１１１、及び、第一反転部１１０の順に通過させることにより、収納部１１２の精査を行うことと、収納部１１２に収納する紙幣ＢＮの表裏及び天地の両方を揃えることと、を同時に行うことができる。この精査処理においては、先入れ先出しに構成された収納部１１２から、第二搬送路１１７、第三搬送路１１８及び第一搬送路１１６を通って、再び同じ収納部１１２に戻るように、紙幣ＢＮが循環する。このため、紙幣ＢＮの搬送を連続して行うことができる。紙幣ＢＮの循環搬送は、二つの収納部の間で紙幣を往復させる精査処理と比較して、精査処理に要する時間を短縮することができる。
【０１１２】
この貨幣処理装置１においては、前記の「入金処理」において説明をしたように、入金部１０３に投入された紙幣は、第一反転部１１０を通じて収納部１１２に収納されているため、収納部１１２に収納している紙幣は、所定の向きに揃っている（例えばＡ方向又はＤ方向）。そのため、出金処理時に、収納部１１２から繰り出した紙幣ＢＮを、第二反転部１１１が必要に応じて反転をすることにより、紙幣ＢＮの表裏及び天地の両方を揃えることができる。
【０１１３】
しかしながら、例えばユーザーが手作業で、収納部１１２に紙幣を装填したり、バラ紙幣処理ユニット１００において発生したエラーの解除時に、ユーザーが手で収納部１１２に紙幣ＢＮを戻したりしたときに、収納部１１２に収納されている紙幣の向きが不揃いになってしまう可能性がある。紙幣の向きが不揃いであると、第二反転部１１１が紙幣を反転しても、紙幣の表裏及び天地の両方を揃えることができなくなる。
【０１１４】
これに対し、このバラ紙幣処理ユニット１００は、精査処理時に、第一反転部１１０及び第二反転部１１１によって、紙幣ＢＮの表裏及び天地の両方を揃えることにより、収納部１１２内に収納している紙幣ＢＮの向きを揃えることが可能になる（例えば全てＡ方向）。出金処理時に、表裏及び天地の両方が揃った紙幣ＢＮを出金することができると共に、結束整理処理時に、表裏及び天地の両方が揃った帯封紙幣を作成することができる。また、収納部１１２に収納している紙幣ＢＮを、ユーザーが手で回収したときも、表裏及び天地の両方が揃った状態で紙幣ＢＮを回収することができる。
【０１１５】
（精査処理の変形例）
前述した精査処理においては、紙幣ＢＮの表裏及び天地の両方を一方向に揃えた上で、収納部１１２に収納している。
【０１１６】
ここで、紙幣ＢＮの一形態として、ホログラムや識別マークが取り付けられていたり、深凹版印刷が施されていたりする紙幣ＢＮのように、一部分の厚みが、他の部分の厚みよりも分厚くなった紙幣ＢＮが存在している。厚みの異なる箇所は、紙幣ＢＮにおける右半分のどこか、又は、左半分のどこかである場合が多い。
【０１１７】
このような紙幣ＢＮは、表裏及び天地の両方を揃えて積み重ねると、厚みの異なる箇所が重なり合うため、収納部１１２内において、紙幣ＢＮが傾いてしまう恐れがある。つまり、長手方向の一方が、他方に比べて高くなるように傾く。積み重ねた紙幣ＢＮが傾いていると、収納部１１２から紙幣ＢＮを繰り出すときに、繰り出し不良が発生したり、収納部１１２に紙幣ＢＮを収納するときに、集積不良が発生したりする恐れがある。
【０１１８】
そこで、バラ紙幣処理ユニット１００は、精査処理を実行するときに、紙幣ＢＮの表裏及び天地の両方を揃えると共に、紙幣ＢＮの表裏及び天地のいずれか一方の揃えの向きを、所定枚数毎に入れ替えてもよい。具体的には、紙幣ＢＮの表裏を入れ替えることによって、例えば１０枚毎にＡ方向とＤ方向とを切り替える、又は、Ｂ方向とＣ方向とを切り替えてもよい。また、紙幣ＢＮの天地を入れ替えることによって、例えば１０枚毎にＡ方向とＢ方向とを切り替える、又は、Ｃ方向とＤ方向とを切り替えてもよい。
【０１１９】
このように、紙幣ＢＮの左右を所定枚数毎に入れ替えると、厚みの異なる箇所が重なり合う枚数を制限することができる。そのため、収納部１１２内において、積み重ねた紙幣ＢＮが大きく傾いてしまうことを抑止することができる。繰り出し不良の発生や、集積不良の発生を抑制することができる。
【０１２０】
ここで、第一反転部１１０は、スイッチバック方式であるため、紙幣ＢＮの表裏及び天地方向の両方を反転することができるが、紙幣ＢＮの左右方向を反転することはできない。そのため、例えば入金処理時に、入金部１０３に投入された紙幣ＢＮを収納部１１２に収納するときには、紙幣ＢＮは第一反転部１１０しか通過しないため、紙幣ＢＮの左右方向を反転させることができない。従って、収納部１１２内において、紙幣ＢＮが傾いてしまう恐れがある。
【０１２１】
これに対し、精査処理を行う際には、紙幣ＢＮを第一反転部１１０及び第二反転部１１１の両方を通過させることができるため、紙幣ＢＮの左右方向を反転させることができる。その結果、前述したように、収納部１１２内において、積み重ねた紙幣ＢＮが大きく傾いてしまうことを抑止することができる。
【０１２２】
（帯封紙幣の変形例）
前述した結束整理処理や、整理処理においては、表裏及び天地の両方が揃った紙幣ＢＮ（例えば、全てＡ方向の紙幣ＢＮ）によって、帯封紙幣を作成している。このため、帯封紙幣の一方の面には、紙幣ＢＮの記番号が現れるものの、他方の面は、紙幣ＢＮの裏面となるため、記番号が現れない。
【０１２３】
ここで、帯封紙幣処理ユニット２００において、帯封紙幣の記番号の管理を行う場合がある。この場合、帯封紙幣の記番号は、第一搬送機構２０２に配置したセンサ２０２ｂや、第二搬送機構２０４の束搬送路２０４ｂに配置したセンサ２０４ｄが、帯封紙幣の記番号を読み取る（図４参照）。センサ２０２ｂやセンサ２０４ｄは、搬送路の片面にのみ配置されているため、帯封紙幣の片面しか読み取ることができない。前述の通り、帯封紙幣の紙幣ＢＮの向きを全て揃えてしまうと、帯封紙幣の一方の面にしか記番号が現れないため、帯封紙幣の向きによっては、センサ２０２ｂやセンサ２０４ｄが記番号を読み取ることができないことも起こり得る。
【０１２４】
そこで、バラ紙幣処理ユニット１００及び帯封紙幣処理ユニット２００においては、帯封紙幣を作成するときに、帯封紙幣の両方の面に、紙幣ＢＮの表面が現れるよう、第一反転部１１０及び第二反転部１１１によって紙幣ＢＮの表裏及び天地を変更しながら、集積部１１４に紙幣ＢＮを集積してもよい。
【０１２５】
具体的には、集積部１１４に集積する１００枚の紙幣ＢＮのうち、１〜９９枚目まではＡ方向に揃えて、紙幣ＢＮを集積すると共に、１００枚目は、Ｄ方向にして紙幣ＢＮを集積してもよい。
【０１２６】
または、集積部１１４に集積する１００枚の紙幣ＢＮのうち、１〜５０枚目まではＡ方向に揃えて、紙幣ＢＮを集積すると共に、５１〜１００枚目までは、Ｄ方向にして紙幣ＢＮを集積してもよい。
【０１２７】
尚、紙幣ＢＮの向きは、Ａ方向ではなく、Ｂ方向にしてもよい。また、紙幣ＢＮの向きは、Ｄ方向ではなく、Ｃ方向にしてもよい。
【０１２８】
こうすることで、図１２に例示するように、帯封紙幣ＢＵの一方の面に紙幣ＢＮの表面が現れて、記番号ＳＮを見ることができると共に、帯封紙幣ＢＵの他方の面にも、紙幣ＢＮの表面が現れて、記番号ＳＮを見ることができる。よって、帯封紙幣処理ユニット２００のセンサ２０２ｂ及びセンサ２０４ｄは、搬送される帯封紙幣ＢＵの向きに関わらず、記番号ＳＮを読み取ることができる。
【０１２９】
結束整理処理や整理処理等の、帯封紙幣の作成を伴う処理を行うときに、ユーザーが、紙幣ＢＮの向きを指定するようにしてもよい。例えば、デフォルトの設定としては、紙幣ＢＮを全てＡ方向に揃えて帯封紙幣を作成するとし、ユーザーの指定によって、Ａ方向とＤ方向とに揃えて帯封紙幣を作成することができるようにしてもよい。
【０１３０】
ここで、帯封紙幣の帯封紙には、帯封紙幣の作成時に各種の情報を印字しているが、紙幣ＢＮをＡ方向とＤ方向とに揃えて作成した帯封紙幣の帯封紙には、紙幣ＢＮを全てＡ方向に揃えて作成した帯封紙幣の帯封紙とは異なることを、印字するようにしてもよい。
【０１３１】
（整理処理の変形例）
前述したように、整理処理においては、バラ紙幣処理ユニット１００の入金部１０３に投入された紙幣ＢＮが、帯封紙幣処理ユニット２００に運搬され、そこにおいて帯封紙幣が作成されると共に、帯封紙幣処理ユニット２００の入出金口２０６や、投出口２０７から投出される。
【０１３２】
これとは異なり、整理処理を行うときには、入金部１０３に投入された紙幣ＢＮを、バラ紙幣処理ユニット１００に取り込んで計数を行い、その計数結果に対応する帯封紙幣を、帯封紙幣処理ユニット２００のスタッカ２０５から送り出して、入出金口２０６や、投出口２０７から投出するようにしてもよい。つまり、整理処理を行うときに帯封紙幣を作成しないようにしてもよい。この場合、帯封紙幣を作成しない分、整理処理に要する時間を短縮することができる。
【０１３３】
尚、このような整理処理を行う場合は、当該整理処理の終了後の適宜のタイミングで、結束整理処理を自動的に実行することにより、整理処理において払い出した帯封紙幣を同数の帯封紙幣を作成して、帯封紙幣処理ユニット２００のスタッカ２０５に収納してもよい。こうすることで、バラ紙幣処理ユニット１００及び帯封紙幣処理ユニット２００それぞれの在高を、整理処理の前後で同じにすることができる。
【０１３４】
（他の構成例）
尚、前記のバラ紙幣処理ユニット１００において、スイッチバック方式の第一反転部１１０と、スパイラル方式の第二反転部１１１とは、互いに入れ替えてもよい。
【０１３５】
また、ここに開示する紙葉類幣処理装置は、前記のバラ紙幣処理ユニット１００に限定されるものではない。ここに開示する技術は、様々な構成の紙葉類処理装置に適用することが可能である。例えば、オートキャッシャーに、ここに開示する技術を適用してもよい。また、ＡＴＭ（Automatic Teller Machine）に、ここに開示する技術を適用してもよい。
【０１３６】
また、ここに開示する技術は、紙幣処理装置に限らず、小切手や商品券等の有価媒体を含む紙葉類を処理装置に、広く適用することが可能である。
【符号の説明】
【０１３７】
１００  バラ紙幣処理ユニット（紙葉類処理装置）
１０３  入金部（投入部）
１０４  入金リジェクト部
１０９  出金識別部（識別部）
１１０  第一反転部
１１１  第二反転部
１１２  収納部
１１４  集積部
１１６  第一搬送路
１１７  第二搬送路
１１８  第三搬送路
１１９  バイパス路
ＢＮ  紙幣（紙葉類）
【図１】
2019191967.tif 000003
【図２】
2019191967.tif 000004
【図３】
2019191967.tif 000005
【図４】
2019191967.tif 000006
【図５】
2019191967.tif 000007
【図６】
2019191967.tif 000008
【図７】
2019191967.tif 000009
【図８】
2019191967.tif 000010
【図９】
2019191967.tif 000011
【図１０】
2019191967.tif 000012
【図１１】
2019191967.tif 000013
【図１２】
2019191967.tif 000014